(57)【要約】【課題】プッシュ（決定）付ダイアルスイッチと前進・後退を指示する方向ボタンにより、ナビゲーションの地図スクロール及び文字入力などの作業を確実に行える操作系とわかりやすい表示が行える画面表示方法及びスクロールスイッチを提供すること。【解決手段】スクロールさせる方向をダイアルスイッチ１３で入力し、その後にその方向での前進・後退をダイアルスイッチ１３と独立した前進スイッチ１１及び後退スイッチ１２で入力して画面をスクロールさせ、その後にダイアルスイッチ１３を押すようにして決定操作を行うようにした。【選択図】        図１
2004258501.tif 000002
【特許請求の範囲】
【請求項１】
操作者の入力によって、表示装置への画面の表示内容を入力方向に連続的に移動させるスクロール表示を行う画面表示方法において、
スクロールさせる方向を方向入力スイッチで入力し、その後にその方向での前進・後退を前記方向入力スイッチと独立した進退入力スイッチで入力して画面をスクロールさせ、その後に前記方向入力スイッチと一体化させて設けた決定入力スイッチで決定操作を行うようにしたことを特徴とする画面表示方法。
【請求項２】
請求項１に記載された画面表示方法において、
表示画面には、表示画像内の現在の位置と方向を示すカーソルを設け、画面をスクロールする際には、前記カーソルが表示画像内の現在の位置に配置されたものと、画面内の所定位置に配置されたものとに分離し、画面内の所定位置に配置されたものが方向入力スイッチで入力された方向に応じてスクロールする方向を表示するようにしたことを特徴とする画面表示方法。
【請求項３】
表示装置への画面の表示内容を入力方向に連続的に移動させるスクロール表示を操作するスクロールスイッチにおいて、
スクロールさせる方向を入力するダイアル形状の方向入力スイッチを設け、同方向入力スイッチで入力した方向でのスクロールの前進・後退を入力する進退入力スイッチを前記方向入力スイッチと独立して設け、決定操作を行う決定入力スイッチを前記方向入力スイッチと一体的に設けてダイアル形状の前記方向入力スイッチが押されると決定操作をするようにしたことを特徴とするスクロールスイッチ。
【請求項４】
請求項３に記載されたスクロールスイッチにおいて、
進退入力スイッチが押された時間においてのみスクロールが実行されるようにしたことを特徴とするスクロールスイッチ。
【発明の詳細な説明】
【０００１】
【発明の属する技術分野】
本発明は、主に自動車用のナビゲーション装置に用いられるスイッチや、複数の車載機器の操作を行うマルチファンクションスイッチとして用いる画面表示方法及びスクロールスイッチの技術分野に属する。
【０００２】
【従来の技術】
従来の画面の画面表示方法及びスクロールスイッチは、ターンノブ（ダイアルスイッチ）により、地図上でスクロール方向を決定し、ターンノブの押し込み操作継続時間に応じて移動量を決定している（例えば、特許文献１参照。）。
【０００３】
【特許文献１】
特開２０００−２４１１７０号公報（第３−５頁、第５図）
【０００４】
【発明が解決しようとする課題】
実際のナビゲーション使用において、地図をスクロール操作した後は例えば、目的地の設定などを行うのが一般的である。しかしながら、従来の画面表示方法及びスクロールスイッチにあっては、ターンノブの押し込み操作でスクロールを実行するため、目的地の設定などの決定動作が行えないという問題点があった。
また、近年では、ナビゲーションの地図上でのスクロールばかりではなく、近年の車両用操作・表示系においては電話番号入力・５０音入力などの決定操作が必須なものが多くなっている。
【０００５】
本発明は、上記問題点に着目してなされたもので、その目的とするところは、プッシュ（決定）付ダイアルスイッチと前進・後退を指示する方向ボタンにより、ナビゲーションの地図スクロール及び文字入力などの作業を確実に行える操作系とわかりやすい表示が行える画面表示方法及びスクロールスイッチを提供することにある。
【０００６】
【課題を解決するための手段】
上記目的を達成するため、請求項１記載の発明では、操作者の入力によって、表示装置への画面の表示内容を入力方向に連続的に移動させるスクロール表示を行う画面表示方法において、スクロールさせる方向を方向入力スイッチで入力し、その後にその方向での前進・後退を方向入力スイッチと独立した進退入力スイッチで入力して画面をスクロールさせ、その後に方向入力スイッチと一体化させて設けた決定入力スイッチで決定操作を行うようにしたことを特徴とする手段とした。
【０００７】
請求項２記載の発明では、表示画面には、表示画像内の現在の位置と方向を示すカーソルを設け、画面をスクロールする際には、カーソルが表示画像内の現在の位置に配置されたものと、画面内の所定位置に配置されたものとに分離し、画面内の所定位置に配置されたものが方向入力スイッチで入力された方向に応じてスクロールする方向を表示するようにしたことを特徴とする手段とした。
【０００８】
請求項３記載の発明では、表示装置への画面の表示内容を入力方向に連続的に移動させるスクロール表示を操作するスクロールスイッチにおいて、
スクロールさせる方向を入力するダイアル形状の方向入力スイッチを設け、方向入力スイッチで入力した方向でのスクロールの前進・後退を入力する進退入力スイッチを方向入力スイッチと独立して設け、決定操作を行う決定入力スイッチを方向入力スイッチと一体的に設けてダイアル形状の方向入力スイッチが押されると決定操作をするようにしたことを特徴とする手段とした。
【０００９】
請求項４記載の発明では、進退入力スイッチが押された時間においてのみスクロールが実行されるようにしたことを特徴とする手段とした。
【００１０】
【発明の作用と効果】
請求項１記載の発明では、方向入力スイッチと進退入力スイッチを分けているため、方向入力に誤入力がないようにできる。その後、進退入力スイッチにより、画面のスクロールを入力された方向の前進方向へのスクロールを行う。スクロールが行き過ぎた際には、進退入力スイッチにより直ぐに後退方向にスクロールさせることができ、操作勝手よく確実に表示させたい位置にスクロールさせる操作ができる。このようにスクロールさせた後において、方向スイッチと一体的に設けた決定入力スイッチで決定操作を行えば、このスイッチで決定操作も操作性がよく確実に行うことができる。
特に決定操作も行えることは、ナビゲーション装置における目的地の操作、車載装置における文字入力などで操作の容易性を向上できる。
【００１１】
請求項２記載の発明では、画面をスクロールする際には、カーソルが表示画像内の現在の位置に配置されたものと、画面内の所定位置に配置されたものとに分離し、画面内の所定位置に配置されたものが方向入力スイッチで入力された方向に応じてスクロール方向を表示するようにしている。よって、操作する人はその画面内の所定位置に配置されたカーソルの向きにより、スクロール方向と前進か後退かを瞬時に見分けることができ、さらに操作のわかりやすさを向上させることができる。
【００１２】
請求項３記載の発明では、方向入力スイッチと進退入力スイッチを独立させているため、方向入力に誤入力がないようにでき、進退入力スイッチにより、画面のスクロールを入力された方向の前進方向へのスクロールを行い、スクロールが行き過ぎた際には、進退入力スイッチにより直ぐに後退方向にスクロールさせることができ、操作勝手よく確実に表示させたい位置にスクロールさせる操作ができ、決定入力スイッチで決定操作も操作性がよく確実に行うことができる。
これらの機能が１つのスイッチで行えることにより、高機能な車載装置を簡略化した構造で容易に操作できることに寄与できる。
【００１３】
請求項４記載の発明では、進退入力スイッチが押された時間においてのみスクロールが実行されるようにし、誤操作が起きないように画面のスクロールができる。
【００１４】
【発明の実施の形態】
以下、本発明の画面表示方法及びスクロールスイッチを実現する実施の形態を、請求項１，２，３，４に係る発明に対応する実施例に基づいて説明する。
【００１５】
（実施例）
【００１６】
まず、構成を説明する。
図１は実施例のスクロールスイッチの平面図である。図２は実施例のスクロールスイッチを用いた車載装置のシステム図である。図３は実施例のスクロールスイッチのブロック図である。図４は実施例のスクロールスイッチによって操作する画像の説明図である。図１〜４における主要符号を説明すると、１はスクロールスイッチ、１１は前進スイッチ、１２は後退スイッチ（１１と進退入力スイッチを構成する）、１３はダイアルスイッチ（方向入力スイッチ）、１３１は決定スイッチ（形状としては１３に含まれる決定入力スイッチ）１４はスイッチマイコン、１５は電源回路、２は表示装置、３はコントローラ、４はナビゲーション装置、５１はナビゲーション画像、５２は画像内に表示されたカーソル（画像内の位置に配置された位置表示）、５３は画面の所定位置に表示されたカーソル（画面内の所定位置に配置されたカーソル）、５４はスクロール方向を示す表示部分、５５はスクロール方向を示す表示部分のうち選択された方向を示す表示部分である。
【００１７】
本実施例のスクロールスイッチ１は、図２に示すように車載装置であるナビゲーション装置４の操作を行うように車室内に設けられるものである。
ナビゲーション装置４は、ＧＰＳにより車両の位置を所定し、地図上での車両の位置や、道路案内を表示装置２への表示を用いて行うものである。スクロールスイッチ１は、このナビゲーション装置４で設けられるコントローラ３に接続して、ナビゲーション装置４における操作が、表示装置２の表示と連動してスクロールスイッチ１で行えるようにしている。
【００１８】
スクロールスイッチ１は、図１に示すように、中央にプッシュスイッチを兼ね、回転させることで方向入力を行う構造のダイアルスイッチ１３を設け、その前方に押して入力するタイプの前進スイッチ１１を設け、ダイアルスイッチ１３の後方に押して入力するタイプの後退スイッチ１２を設ける。
このスクロールスイッチ１を構成するダイアルスイッチ１３、ダイアルスイッチ１３がプッシュスイッチを兼ねることで構成される決定スイッチ１３１、前進スイッチ１１、後退スイッチ１２は図３に示すように、スイッチ内部に設けられる電源回路１５、スイッチマイコン１４に接続される。
【００１９】
次に、作用を説明する。
【００２０】
［ナビゲーション装置におけるスクロール表示作用］
本実施例のスクロールスイッチ１を用いたナビゲーション装置４において、目的地を設定するために表示装置２の画面表示をスクロールさせる際には、まず、図２（ａ）に示すように表示されているナビゲーション画像５１に自車の現在の位置及び進行方向がカーソル５２で表示された状態から、ダイアルスイッチ１３を操作する。
ダイアルスイッチ１３に回転方向の操作が加わると、その回転はスイッチマイコン１４に入力され、その結果がコントローラ３に入力されてナビゲーション装置４の表示装置２に表示される。図２（ｂ）に示すようにダイアルスイッチ１３の回転に連動して向きを変えるカーソル５３が、それまで地図画像上の自車位置で自車の走行方向を向いたカーソル５２と分離して表示され、かつ８つの選択可能なスクロール方向５４が表示され、現在選択されている方向５５が見分けられるように表示される。
【００２１】
このようにしてスクロール方向を選択したならば、前進スイッチ１１を押す。前進スイッチ１１が押されると、その押されている間、画面がスクロールする（図４（ｃ）参照）。
この際に、スクロールし過ぎたならば、後退スイッチ１２を押すと、そのスクロール方向と逆方向にスクロールする。
このようにして目的地となる位置にカーソル５３を移動させたならば、ダイアルスイッチ１３を押すようにして入力して、目的地決定の入力を行う。
【００２２】
［誤入力の防止作用］
本実施例のスクロールスイッチ１では、図４（ｂ）に示すように、ダイアルスイッチ１３の操作でスクロール方向が決定した後、ダイアルスイッチ１３とは別となっている前進スイッチ１１、後退スイッチ１２でスクロールを行う。また、このスクロールは前進スイッチ１１、後退スイッチ１２が押されている間のみスクロールする。よって、他のスイッチを押すつもりで操作してしまったり、別方向にスクロールさせて自車位置を見失ったり、目的地の方向がわからなくなったりすることがなくなり、誤入力が防止される。
【００２３】
［確実なスクロール作用］
前進スイッチ１１を押すことによるスクロールが目的地を通過してしまう位置までスクロールしてしまった場合には、後退スイッチ１２を押してスクロール方向と逆にスクロールさせる。これにより、スクロールを戻すことができ、スクロールさせすぎた場合に再度方向入力をするようなことなく、そのスクロール方向で戻って確実に目的地を設定する。
【００２４】
［決定操作作用］
本実施例のスクロールスイッチ１では、ダイアルスイッチ１３を押すことにより決定操作を行う。そのため、他のスイッチを押さずにスクロールスイッチ１で決定操作ができ、操作する人の大きなアクション数を減らして操作を行う。
このことは、多機能化する車載装置においては、重要であり、操作を簡単に行いたい運転者にとっては、操作の容易性の向上になる。
【００２５】
［表示のわかりやすさ向上作用］
スクロールスイッチ１によりスクロールさせる際には、図４（ｂ），（ｃ）に示すように、自車位置を示すカーソル５２と分離したカーソル５３がスクロール方向を向くとともに、スクロール方向の表示５４の該当する部分が見分けられる表示５５となり、操作する人が一目でみてスクロール方向を見分ける。
【００２６】
次に、効果を説明する。
【００２７】
実施例の画面表示方法及びスクロールスイッチ１にあっては、下記に列挙する効果を得ることができる。
【００２８】
（１）運転者の入力によって、ナビゲーション装置４における表示装置２への画面の表示内容を入力方向に連続的に移動させるスクロール表示を行う画面表示方法において、スクロールさせる方向をダイアルスイッチ１３で入力し、その後にその方向での前進・後退をダイアルスイッチ１３と独立した前進スイッチ１１及び後退スイッチ１２で入力して画面をスクロールさせ、その後にダイアルスイッチ１３を押すようにして決定操作を行うようにしたため、操作勝手よく確実に表示させたい位置にスクロールさせる操作ができ、このスイッチで決定操作も操作性がよく確実に行うことができ、ナビゲーション装置４における目的地の操作、車載装置における文字入力などで操作の容易性を向上できる。
【００２９】
（２）ナビゲーション装置４の表示画面には、地図画像内の位置及び方向を示すカーソル５２を設け、画面をスクロールする際には、カーソルが地図画像内の現在の自車位置に配置されたカーソル５２と、画面内の中央位置に配置されたカーソル５３とに分離し、画面内の中央位置に配置されたものがダイアルスイッチ１３で入力された方向に応じて向きを表示するようにしたため、操作する人はスクロール方向と前進か後退かを瞬時に見分けることができ、さらに操作のわかりやすさを向上させることができる。
【００３０】
（３）ナビゲーション装置４の表示装置２への画面の表示内容を入力方向に連続的に移動させるスクロール表示を操作するスクロールスイッチ１において、スクロールさせる方向を入力するダイアルスイッチ１３を設け、ダイアルスイッチ１３で入力した方向でのスクロールの前進・後退を入力する前進スイッチ１１及び後退スイッチ１２をダイアルスイッチ１３と独立して設け、ダイアルスイッチ１３が押されると決定操作をするようにしたため、誤入力を防止でき、操作勝手よく確実に表示させたい位置にスクロールさせる操作ができ、決定操作も操作性がよく確実に行うことができ、高機能な車載装置を簡略化した構造で容易に操作できることに寄与できる。
【００３１】
（４）進退入力スイッチが押された時間においてのみスクロールが実行されるようにしたため、誤操作が起きないように画面のスクロールができる。
【００３２】
以上、本発明の画面表示方法及びスクロールスイッチ１を実施例に基づき説明してきたが、具体的な構成については、これらの実施例に限られるものではなく、特許請求の範囲の各請求項に係る発明の要旨を逸脱しない限り、設計の変更や追加等は許容される。
【００３３】
例えば、実施例では、車載装置としてナビゲーション装置４を示したが、他の車載機器でもよく、また複数の車載機器であってもよい。
前進スイッチと後退スイッチは、それぞれをプッシュスイッチとする構造にしてもよく、また、どちらかしか入力できないシーソースイッチ構造にしてもよく、また、別のスイッチ構造でもかまわない。
【図面の簡単な説明】
【図１】実施例のスクロールスイッチの平面図である。
【図２】実施例のスクロールスイッチを用いた車載装置のシステム図である。
【図３】実施例のスクロールスイッチのブロック図である。
【図４】実施例のスクロールスイッチによって操作する画像の説明図である。
【符号の説明】
１  スクロールスイッチ
１１  前進スイッチ
１２  後退スイッチ
１３  ダイアルスイッチ
１３１  決定スイッチ
１４  スイッチマイコン
１５  電源回路
２  表示装置
３  コントローラ
４  ナビゲーション装置
５１  ナビゲーション画像
５２  （画像内に表示された）カーソル
５３  （画面の所定位置に表示された）カーソル
５４  スクロール方向を示す表示部分
５５  スクロール方向を示す表示部分のうち選択された方向を示す表示部分
【図１】
2004258501.tif 000003
【図２】
2004258501.tif 000004
【図３】
2004258501.tif 000005
【図４】
2004258501.tif 000006